(57)【要約】      （修正有）【課題】より安定した強度の神経系統への有効な刺激やイオン作用によって、人体の局部を活発化させ、人間の有する治癒力を増強させて、痛さの軽減・消失、アレルギー疾患の治癒、手術後の筋肉回復等を実現する治療器具を提供する。【解決手段】筒型本体１０と、該筒型本体内で筒型本体の中心軸線に沿って摺動自在の摺動作動部材２６と、前記摺動作動部材の遠位端領域２０に配置されたイオン発生部材３０と、前記摺動作動部材を遠位端側に向けて叩くハンマー部材４０と、不作動時、前記摺動作動部材を遠位端側に位置させ、治療器具を被治療体に押しつけることにより前記摺動作動部材を前記ハンマー部材と一緒に近位端側２２へ移動させ、前記摺動作動部材又はこれと一体の部材が摺動範囲の近位端側端部に到達したとき前記ハンマー部材を解放して前記ハンマー部材を前記摺動作動部材に衝突させる制御部５０とを設置して治療器具を構成する。【選択図】図２
0003150845.tif 000002
【実用新案登録請求の範囲】
【請求項１】
施術者が掴むための筒型本体と、
該筒型本体内で筒型本体の中心軸線に沿って摺動自在であり、摺動範囲が遠位端側及びこれと反対の近位端側が制限され、前記筒型本体に対し遠位端側に向けて付勢されている摺動作動部材と、
前記摺動作動部材の遠位端領域に配置され、被治療体に接触するイオン発生部材と、
前記筒型本体に対し遠位端側に向けて付勢されて、前記摺動作動部材を遠位端側に向けて叩くハンマー部材と、
不作動時、前記摺動作動部材を遠位端側に位置させ、治療器具を被治療体に押しつけることにより前記摺動作動部材を前記ハンマー部材と一緒に近位端側へ移動させ、前記摺動作動部材又はこれと一体の部材が摺動範囲の近位端側端部に到達したとき前記ハンマー部材を解放して前記ハンマー部材を前記摺動作動部材に衝突させる制御部と
を有することを特徴とする治療器具。
【請求項２】
前記イオン発生部材が、トルマリンであることを特徴とする請求項１記載の治療器具。
【考案の詳細な説明】
【技術分野】
【０００１】
本考案は、人体の局部、例えば患部やつぼを押圧して活発化させ、人間の有する治癒力を増強させて、痛さの軽減・消失、アレルギー疾患の治癒、手術後の筋肉回復等を実現するための治療器具に関する。
【背景技術】
【０００２】
上述した治療の基本的なものは、施術者の手や指による揉みほぐし、叩き、押し付けである。これらは、施術者の手や指による局部の反応を経験によって分析して最適の部位の発見や最適な強度の揉みほぐし、叩き、押しつけを行うことができる利点がある。しかし、そのためには、長い経験・訓練と特別な能力を必要とし、一方そのために多大の体力を要し、施術者によって治療にばらつきがある問題があった。
また、これらの施術者の手や指による揉みほぐし、叩き、押しつけは、単に機械的に押圧するだけであり、それを効率的に行うことが実際上困難であった。
【０００３】
これらの問題を解決するため、本体の少なくとも導電性金属からなる導体部に、前記導電性金属と異なるイオン化傾向を有する異種金属部と、必要に応じて水晶乃至トルマリンの結晶体が取付けられていて、前記本体の導体部乃至異種金属部を患者の皮膚に押圧することによって、筋肉痛、神経痛、頭痛、腰痛等の痛みを消失し、喘息等のアレルギー、手術後の機能回復等に効果があり、しかも、エイズウイルス等、接触感染する虞が無く安全で、電気式治療器のように外部からの電気を使用せずに、画期的な治療効果を発揮する治療器具が提案されている（例えば、特許文献１参照）。
【０００４】
また、一定した刺激を与えるために、本体に貫通した付属の中心棒上端部を掌で叩くことにより、中心棒が一定方向に一定量摺動し、先端部が皮膚に接触し安定した刺激を与えることが出来る叩打器が提案されている（例えば、特許文献２参照）
【０００５】
さらに、加熱手段を内設してなる指圧具本体の先端部に、ゲルマニュームによる押圧材を設けて構成し、指圧具本体の先端部に設けたゲルマニュームによる押圧材を加熱すると共に、バイブレーターや超音波による振動等により、通常のツボへの指圧効果やマッサージ効果に加え、局所加熱により血管が拡張し、非加熱部位との温度差を生じ、神経系統により刺激を与え、筋肉をリラックスさせると共に、ゲルマニュームイオンが多量に発生することで皮膚より浸透し、細胞の電子交換を活発にし、酸素の需要を高め、老廃物の排出を促進させる指圧具が提供されている（例えば、特許文献３参照）。
【０００６】
さらに、つぼ押しを手によって行うことにより、手間がかかっていた。また、素人が行うと押しすぎ等で、かえって悪くしてしまうケースを考慮し、プラスチック等で出来たつぼ押し具本体になだらかな凸部分を設け、チタンまたは、トルマリン、磁石等を凸部分または、適当な所に配し、凸部分を設けた反対側にクリップ等を設け、身体に多少の圧力がかかり、固定できる物、例えばマスク等に凸部分の有する方を身体側のつぼの部分に向けて付けられるようにしたつぼ押し具が提案されている（例えば、特許文献４参照）。
【先行技術文献】
【特許文献】
【０００７】
【特許文献１】特開平１１−１６４８７０号公報
【特許文献２】特開２００２−１３６５６８号公報
【特許文献３】特開２００４−２０２２００号公報
【特許文献４】特開２００６−６８６８号公報
【考案の概要】
【考案が解決しようとする課題】
【０００８】
上述した従来技術の治療器具においては、前記導電性金属と異なるイオン化傾向を有する異種金属部によって発生するイオンの作用や異種金属部を皮膚に押圧することによる押圧作用、中心棒が一定方向に一定量摺動し、先端部が皮膚に接触し安定した刺激を与える作用、局所加熱により血管が拡張して非加熱部位との温度差を生じ、神経系統により刺激を与え、筋肉をリラックスさせると共にゲルマニュームイオンが多量に発生することで膚より浸透し、細胞の電子交換を活発にし、酸素の需要を高める作用が発揮される。
しかし、その作用・刺激は、不安定で十分でなく、より安定した強度の神経系統への有効な刺激やイオン作用が要求されている。
【課題を解決するための手段】
【０００９】
本考案は、
施術者が掴むための筒型本体と、
該筒型本体内で筒型本体の中心軸線に沿って摺動自在であり、摺動範囲が遠位端側及びこれと反対の近位端側が制限され、前記筒型本体に対し遠位端側に向けて付勢されている摺動作動部材と、
前記摺動作動部材の遠位端領域に配置され、被治療体に接触するイオン発生部材と、
前記筒型本体に対し遠位端側に向けて付勢されて、前記摺動作動部材を遠位端側に向けて叩くハンマー部材と、
不作動時、前記摺動作動部材を遠位端側に位置させ、治療器具を被治療体に押しつけることにより前記摺動作動部材を前記ハンマー部材と一緒に近位端側へ移動させ、前記摺動作動部材又はこれと一体の部材が摺動範囲の近位端側端部に到達したとき前記ハンマー部材を解放して前記ハンマー部材を前記摺動作動部材に衝突させる制御部と
を有することを特徴とする治療器具である。
【００１０】
本考案の実施態様は、前記イオン発生部材が、トルマリンであることを特徴とする。
【考案の効果】
【００１１】
本考案によれば、イオン発生部材からの電気的刺激と摺動作動部材による機械的刺激を同時に与えて相乗的に作用させ、さらにこれらの刺激をイオン発生部材と被治療部を極めて接近させて行うことにより、より安定した強度の神経系統への有効な電気的刺激を与えることができる効果を有する。
【図面の簡単な説明】
【００１２】
【図１】本考案の治療器具の斜視図である。
【図２】本考案の治療器具の断面図及びその部分拡大図であり、不作用時の一番伸びた状態を示す。
【図３】本考案の治療器具の断面図及びその部分拡大図であり、筒型本体を少し押し込んだ状態を示す。
【図４】本考案の治療器具の断面図及びその部分拡大図であり、内部摺動部材の近位端側端部が近位端キャップの近位端内面４４に突き当った状態を示す。
【図５】本考案の治療器具の断面図及びその部分拡大図であり、ハンマー部材が解放される直前の状態を示す。
【図６】本考案の治療器具の断面図及びその部分拡大図であり、ハンマー部材が突き当てリングに突き当たった状態を示す。
【図７】本考案の治療器具の断面図及びその部分拡大図であり、ハンマー部材がキャップに突き当たった状態を示す。
【図８】本考案の治療器具の断面図及びその部分拡大図であり、突き当てリングがキャップに突き当たり、第２大径部が突き当てキャップに突き当たる直前の状態を示す。
【図９】本考案の治療器具の使用開始状態を示す説明図である。
【図１０】本考案の治療器具の使用状態を示す説明図である。
【考案を実施するための形態】
【００１３】
以下に本考案の治療器具の一実施形態を図に基づいて説明する。
治療器具１は、図１に示すように、施術者が掴むための筒型本体１０と、筒型本体１０内で筒型中心軸線に沿って摺動自在の摺動作動部材２６とを有する。
【００１４】
治療器具１の内部構造は、図２〜８にその断面を示すように、筒型本体１０と、筒型本体１０内で筒型本体の中心軸線Ｏに沿って摺動自在であり、摺動範囲が遠位端側及びこれと反対の近位端側において制限され、筒型本体１０に対して遠位端部分２０に向けて付勢されている摺動作動部材２６と、摺動作動部材２６の遠位端部分２０に配置され、被治療体Ｂに接触するイオン発生部材３０と、摺動作動部材２６を遠位端部分２０側に向けて叩く筒形のハンマー部材４０とを有する。ハンマー部材４０は、その遠位端側内部に、ベアリングボール９２の一部を受け入れるベアリングボール凹部４３を有する。
【００１５】
治療器具１はさらに、図２〜８に示すように、不作動時、摺動作動部材２６を遠位端側に移動させ、治療器具１を被治療体Ｂに押しつけることにより、摺動作動部材２６をハンマー部材４０と一緒に近位端部分２２側に移動させ、摺動作動部材２６が近位端部分２２側極限に到達したとき、すなわち摺動作動部材２６又はこれと一体の部材が近位端キャップ６８の近位端内面４４に突き当たったとき、ハンマー部材４０を解放してハンマー部材４０が摺動作動部材２６に衝突させる制御部５０を有する。
【００１６】
制御部５０は、ハンマー部材４０と筒型本体１０の近位端内面４４との間に第１ハンマー圧縮ばね４１及び第２ハンマー圧縮ばね４２を配置している。第１ハンマー圧縮ばね４１と第２ハンマー圧縮ばね４２の間には、ばね用ワッシャー４５が配置されている。
【００１７】
筒型本体１０は、筒部材６２の遠位端部分２０側に孔６４付きのキャップ６６を螺合させ、近位端部分２２側に近位端内面４４を有する近位端キャップ６８を螺合させている。
【００１８】
摺動作動部材２６は、図２に示すように、遠位端部分２０に、孔７０付き硬質アクリル製キャップ７２が螺合されている。孔７０内には、周囲部に銅製パイプ７４が埋め込まれ、銅製パイプ７４内に、例えばトルマリン粉体を粒状にしたトルマリン粒体であるイオン発生部材３０が抜け落ちないように埋め込まれている。銅製パイプ７４は、ゲルマニューム７７を介して筒部材６２に電気的に接続されている（図示せず）。銅製パイプ７４は、ゲルマニューム７７を介して筒型本体１０に取り付けられた太陽電池（図示せず）に電気的に接続されてもよい。ゲルマニューム７７は、電流を一方向のみに流す作用をなす。ゲルマニューム７７及びその接続線は、絶縁筒体７９によって摺動作動部材２６に対する電気的絶縁が維持されている。
【００１９】
摺動作動部材２６はまた、キャップ６６に突き当たって摺動作動部材２６の遠位端部分側の摺動範囲を決めるための突き当てリング８０を、ピン８２によって固定している。
摺動作動部材２６はまた、ハンマー部材４０が突き当たってハンマー部材４０によって摺動作動部材２６を近位端方向に移動させるため、及び孔８９から突出した内部摺動部材９０の近位端方向への抜け外れを抑制するため、突き当てキャップ８４を螺合している。
摺動作動部材２６はさらに、ベアリングボール９２を収容するためのベアリング孔９４を有する。
【００２０】
内部摺動部材９０は、圧縮ばね１００によって、摺動作動部材２６に対して遠位端側から近位端側へ付勢されている。内部摺動部材９０は、圧縮ばね１００をガイドするばねガイド部１０２，ベアリングボール９２をベアリング孔９４内に保持するための第１大径部１０４，４５度傾斜してベアリングボール９２をベアリング孔９４内へ出し入れさせるための先細部１０６，ベアリングボール９２を受け入れてベアリングボール９２がベアリング孔９４から外側へ突出しないようにする小径部１０８，突き当てキャップ８４に突き当たって内部摺動部材９０と摺動作動部材２６とを一体に移動させるための第２大径部１１０，及び内部摺動部材９０の近位端部側摺動範囲を制限するために近位端内面４４に突き当たる突き当て突起部１２２からなる。
【００２１】
ハンマー部材４０は、突き当てリング８０と突き当てキャップ８４の間で、摺動作動部材２６上を摺動する。
【００２２】
上述した構成の治療器具１の作動を説明する。治療器具１は、何ら力を作用させていないとき、図２に示すように、一番長く伸びている。
施術者は、筒型本体１０を掴み、図９に示すように、被治療部Ｂに摺動作動部材２６の遠位端部分２０を当て、イオン発生部材３０及び銅製パイプ７４の先端部分を被治療部Ｂに接触させる。続いて、施術者は、図１０に示すように、第１ハンマー圧縮ばね４１及び第２ハンマー圧縮ばね４２の伸張力に抗して筒型本体１０を徐々に被治療部Ｂに近付ける。
【００２３】
この作動は、治療器具１内においては、図３に示すように、ベアリングボール９２とベアリングボール凹部４３の係合及び圧縮ばね１００の作用により、筒型本体１０に対し、摺動作動部材２６、ハンマー部材４０及び内部摺動部材９０が一体で近位端側へ移動する。この作動は、図４に示すように、内部摺動部材９０の近位端側端部が近位端キャップ６８の近位端内面４４に突き当たるまで続く。
【００２４】
内部摺動部材９０の近位端側端部が近位端キャップ６８の近位端内面４４に突き当った後、施術者が筒型本体１０をさらに押し付けると、摺動作動部材２６に対し内部摺動部材９０が遠位端側に変位する。
その結果、ベアリングボール９２は、図５に示すように、ベアリングボール凹部４３の近位端側の斜面と先細部１０６の作用によって、ベアリング孔９４内でベアリングボール凹部４３に部分的に受け入れられていた状態から、図６に示すように、ベアリング孔９４から外側すなわちハンマー部材４０側に全く突出しない状態になり、ハンマー部材４０がベアリングボール９２によって係止されなくなる。
【００２５】
この結果、ハンマー部材４０は、図６に示すように、第１ハンマー圧縮ばね４１及び第２ハンマー圧縮ばね４２の伸張力によって突き当てリング８０に衝突させられ、この衝突エネルギーは摺動作動部材２６の遠位端部分に伝播され、被治療部Ｂに機械的衝撃が与えられる。この衝撃によって摺動作動部材２６の治療が電気的刺激と機械的刺激が相乗的に作用して、治療が効率的に行われる。
【００２６】
その後、施術者が筒型本体１０への押し付け力を弱めると、図７に示すように、第１ハンマー圧縮ばね４１及び第２ハンマー圧縮ばね４２の伸張力によって、摺動作動部材２６に対し筒型本体１０が、キャップ６６とハンマー部材４０が突き当たる位置まで近位端側に変位する。
同時に、図８に示すように、圧縮ばね１００の作用によって内部摺動部材９０の第２大径部１１０が突き当てキャップ８４に突き当たるまで近位端側に変位する。その結果、図１に示す最初の状態に戻る。
【符号の説明】
【００２７】
Ｂ            被治療体
１            治療器具
１０          筒型本体
２０          遠位端部分
２２          近位端部分
２６          摺動作動部材
３０          イオン発生部材
４０          ハンマー部材
４１          第１ハンマー圧縮ばね
４２          第２ハンマー圧縮ばね
４３          ベアリングボール凹部
４４          近位端内面
５０          制御部
６２          筒部材
６６          キャップ
６８          近位端キャップ
７２          硬質アクリル製キャップ
８０          突き当てリング
８４          突き当てキャップ
９０          内部摺動部材
９２          ベアリングボール
１００        圧縮ばね
１０４        第１大径部
１０６        先細部
１１０        第２大径部
１２２        突き当て突起部
【図１】
0003150845.tif 000003
【図２】
0003150845.tif 000004
【図３】
0003150845.tif 000005
【図４】
0003150845.tif 000006
【図５】
0003150845.tif 000007
【図６】
0003150845.tif 000008
【図７】
0003150845.tif 000009
【図８】
0003150845.tif 000010
【図９】
0003150845.tif 000011
【図１０】
0003150845.tif 000012